(57)【要約】【課題】ユーザーによる印刷物の利用態様を制限することなくクーポンを発行可能な画像形成装置、画像形成システム、及び画像形成方法を提供すること。【解決手段】画像形成装置は、画像を形成する印刷処理を実行する画像形成部を備え、前記画像形成部により実行される前記印刷処理の内容をユーザー操作に応じて設定し（ステップＳ１３）、設定された前記印刷処理の内容に応じて前記印刷処理における印刷枚数を特定し（ステップＳ１６）、特定された前記印刷枚数に対応する予め設定されたクーポンの内容の特定に用いられるクーポン情報を出力する（ステップＳ１８）。【選択図】図３
2017074734.tif 000002
【特許請求の範囲】
【請求項１】
画像を形成する印刷処理を実行する画像形成部と、
前記画像形成部により実行される前記印刷処理の内容をユーザー操作に応じて設定する設定処理部と、
前記設定処理部によって設定された前記印刷処理の内容に応じて前記印刷処理における印刷枚数又は印刷料金を特定する特定処理部と、
前記特定処理部によって特定された前記印刷枚数又は前記印刷料金に対応する予め設定されたクーポンの内容の特定に用いられるクーポン情報を携帯端末に送信し、又は前記クーポン情報を示すコード画像を表示する出力処理部と、
を備える画像形成装置。
【請求項２】
前記コード画像が二次元コードである請求項１に記載の画像形成装置。
【請求項３】
前記クーポン情報が、一又は複数の商品又はサービスの種類の特定に用いられる商品情報及び前記商品又は前記サービスの種類ごとに予め設定された割引上限金額の特定に用いられる上限金額情報のいずれか一方又は両方を含む請求項１又は２に記載の画像形成装置。
【請求項４】
前記設定処理部による前記印刷処理の内容の設定後の開始操作に応じて前記画像形成部による前記印刷処理を開始させる開始処理部と、
前記開始処理部によって前記印刷処理が開始される際に、前記特定処理部によって特定された前記印刷枚数又は前記印刷料金に応じて課金処理を実行する課金処理部と、を更に備え、
前記出力処理部が、前記課金処理部による前記課金処理の実行後であって前記印刷処理の終了前に前記クーポン情報の送信又は表示を実行する請求項１〜３のいずれかに記載の画像形成装置。
【請求項５】
前記設定処理部による前記印刷処理の内容の設定後の開始操作に応じて前記画像形成部による前記印刷処理を開始させる開始処理部と、
前記開始処理部によって開始された前記印刷処理が終了する際に、前記特定処理部によって特定された前記印刷枚数又は前記印刷料金に応じて課金処理を実行する課金処理部と、を更に備え、
前記出力処理部が、前記課金処理部による前記課金処理の実行後に前記クーポン情報の送信又は表示を実行する請求項１〜３のいずれかに記載の画像形成装置。
【請求項６】
画像形成装置及び携帯端末を含み、
前記画像形成装置は、
画像を形成する印刷処理を実行する画像形成部と、前記画像形成部により実行される前記印刷処理の内容をユーザー操作に応じて設定する設定処理部と、前記設定処理部によって設定された前記印刷処理の内容に応じて前記印刷処理における印刷枚数又は印刷料金を特定する特定処理部と、前記特定処理部によって特定された前記印刷枚数又は前記印刷料金に対応する予め設定されたクーポンの内容の特定に用いられるクーポン情報を前記携帯端末に送信し、又は前記クーポン情報を示すコード画像を表示する第１出力処理部と、を備え
前記携帯端末は、
前記第１出力処理部によって送信又は表示される前記クーポン情報を取得する取得処理部と、前記取得処理部によって取得された前記クーポン情報に基づいて前記クーポンの内容を特定する内容特定部と、前記内容特定部によって特定された前記クーポンの内容を送信又は表示する第２出力処理部と、を備える画像形成システム。
【請求項７】
前記クーポン情報が、前記印刷枚数又は前記印刷料金を含み、
前記携帯端末が、前記取得処理部により取得される前記クーポン情報に含まれる前記印刷枚数又は前記印刷料金の累計値を記憶部に記憶させる記憶処理部を更に備え、
前記内容特定部が、前記クーポン情報に含まれる前記印刷枚数又は前記印刷料金及び前記記憶部に記憶された前記印刷枚数又は前記印刷料金の累計値に基づいて前記クーポンの割引可能金額を取得する請求項６に記載の画像形成システム。
【請求項８】
前記クーポン情報が、複数の商品又はサービスの種類の特定に用いられる商品情報を含み、
前記携帯端末が、前記商品情報により特定される複数の前記商品又は前記サービスのうちいずれか一つ又は複数を選択する選択操作を受け付ける操作受付部を更に備え、
前記内容特定部が、前記選択操作に応じて前記クーポンが適用される前記商品又は前記サービスの種類を特定する請求項６又は７に記載の画像形成システム。
【請求項９】
前記クーポン情報が、前記印刷枚数又は前記印刷料金、及び前記商品又は前記サービスの種類ごとに予め設定された割引上限金額の特定に用いられる上限金額情報を含み、
前記内容特定部が、前記クーポン情報に含まれる前記印刷枚数又は前記印刷料金に基づいて取得される前記クーポンの割引可能金額が前記選択操作で選択された前記商品又は前記サービスの種類の前記割引上限金額を超える場合に前記クーポンの割引金額を前記割引上限金額に特定すると共に前記割引可能金額と前記割引上限金額との差額を記憶部に記憶させ、前記記憶部に前記差額が記憶されている場合には前記クーポン情報及び前記差額に基づいて前記割引金額を特定する請求項８に記載の画像形成システム。
【請求項１０】
前記クーポン情報が、前記印刷枚数又は前記印刷料金を含み、
前記内容特定部が、予め定められた発行中止操作が行われた場合に前記クーポン情報に含まれる前記印刷枚数又は前記印刷料金に基づいて取得される前記クーポンの割引可能金額を繰越額として記憶部に記憶させ、前記記憶部に前記繰越額が記憶されている場合には前記クーポン情報及び前記繰越額に基づいて前記割引金額を特定する請求項６〜９のいずれかに記載の画像形成システム。
【請求項１１】
画像を形成する印刷処理を実行する画像形成部を備える画像形成装置に搭載されるプロセッサーにより、
前記画像形成部により実行される前記印刷処理の内容をユーザー操作に応じて設定する第１ステップと、
前記第１ステップによって設定された前記印刷処理の内容に応じて前記印刷処理における印刷枚数又は印刷料金を特定する第２ステップと、
前記第２ステップによって特定された前記印刷枚数又は前記印刷料金に対応する予め設定されたクーポンの内容の特定に用いられるクーポン情報を携帯端末に送信し、又は前記クーポン情報を示すコード画像を表示する第３ステップと、
を実行する画像形成方法。
【発明の詳細な説明】
【技術分野】
【０００１】
本発明は、画像形成装置、画像形成装置を含む画像形成システム、及び画像形成方法に関する。
【背景技術】
【０００２】
コピー機のような画像形成装置は、コンビニエンスストアなどの店舗内に設置されることがある。店舗内に設置された画像形成装置では、印刷枚数などに応じた印刷料金が徴収される。ここで、印刷物の余白領域に広告画像を印刷して、前記広告画像の面積に応じた金額を印刷料金から割り引くことが可能な画像形成装置が知られている（例えば、特許文献１参照）。
【先行技術文献】
【特許文献】
【０００３】
【特許文献１】特開２０１１−１１４３５９号公報
【発明の概要】
【発明が解決しようとする課題】
【０００４】
ところで、印刷枚数に応じて店舗内の商品の代金を割り引くクーポンが発行されることが考えられる。ここで、印刷物の余白領域に前記クーポンが印刷される場合には、前記クーポンが別途印刷される場合と比較して、ユーザーにおける印刷料金の負担が軽減される。しかしながら、印刷物の余白領域に前記クーポンが印刷される場合には、印刷物の他者への配布に不都合が生じる等、ユーザーによる印刷物の利用態様に制限が生じる。
【０００５】
本発明の目的は、ユーザーによる印刷物の利用態様を制限することなくクーポンを発行可能な画像形成装置、画像形成システム、及び画像形成方法を提供することにある。
【課題を解決するための手段】
【０００６】
本発明の一の局面に係る画像形成装置は、画像形成部と、設定処理部と、特定処理部と、出力処理部とを備える。前記画像形成部は、画像を形成する印刷処理を実行する。前記設定処理部は、前記画像形成部により実行される前記印刷処理の内容をユーザー操作に応じて設定する。前記特定処理部は、前記設定処理部によって設定された前記印刷処理の内容に応じて前記印刷処理における印刷枚数又は印刷料金を特定する。前記出力処理部は、前記特定処理部によって特定された前記印刷枚数又は前記印刷料金に対応する予め設定されたクーポンの内容の特定に用いられるクーポン情報を携帯端末に送信し、又は前記クーポン情報を示すコード画像を表示する。
【０００７】
本発明の他の局面に係る画像形成システムは、画像形成装置と、携帯端末とを備える。前記画像形成装置は、画像形成部と、設定処理部と、特定処理部と、第１出力処理部とを備える。前記画像形成部は、画像を形成する印刷処理を実行する。前記設定処理部は、前記画像形成部により実行される前記印刷処理の内容をユーザー操作に応じて設定する。前記特定処理部は、前記設定処理部によって設定された前記印刷処理の内容に応じて前記印刷処理における印刷枚数又は印刷料金を特定する。前記第１出力処理部は、前記特定処理部によって特定された前記印刷枚数又は前記印刷料金に対応する予め設定されたクーポンの内容の特定に用いられるクーポン情報を前記携帯端末に送信し、又は前記クーポン情報を示すコード画像を表示する。一方、前記携帯端末は、取得処理部と、内容特定部と、第２出力処理部とを備える。前記取得処理部は、前記第１出力処理部によって送信又は表示される前記クーポン情報を取得する。前記内容特定部は、前記取得処理部によって取得された前記クーポン情報に基づいて前記クーポンの内容を特定する。前記第２出力処理部は、前記内容特定部によって特定された前記クーポンの内容を送信又は表示する。
【０００８】
本発明の他の局面に係る画像形成方法は、画像を形成する印刷処理を実行する画像形成部を備える画像形成装置に搭載されるプロセッサーにより実行され、第１ステップ、第２ステップ、及び第３ステップを含む。前記第１ステップは、前記画像形成部により実行される前記印刷処理の内容をユーザー操作に応じて設定する。前記第２ステップは、前記第１ステップによって設定された前記印刷処理の内容に応じて前記印刷処理における印刷枚数又は印刷料金を特定する。前記第３ステップは、前記第２ステップによって特定された前記印刷枚数又は前記印刷料金に対応する予め設定されたクーポンの内容の特定に用いられるクーポン情報を携帯端末に送信し、又は前記クーポン情報を示すコード画像を表示する。
【発明の効果】
【０００９】
本発明によれば、ユーザーによる印刷物の利用態様を制限することなくクーポンを発行可能な画像形成装置、画像形成システム、及び画像形成方法が実現される。
【図面の簡単な説明】
【００１０】
【図１】図１は、本発明の実施形態に係る画像形成システムの構成を示す図である。
【図２】図２は、本発明の実施形態に係る画像形成システムの画像形成装置の構成を示す図である。
【図３】図３は、本発明の実施形態に係る画像形成装置で実行されるクーポン情報出力処理の一例を示すフローチャートである。
【図４】図４は、本発明の実施形態に係る携帯端末で実行されるクーポン発行処理の一例を示すフローチャートである。
【図５】図５は、本発明の実施形態に係る画像形成装置の操作表示部に表示される表示画面の一例を示す図である。
【図６】図６は、本発明の実施形態に係る携帯端末の操作表示部に表示される表示画面の一例を示す図である。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像形成システム１００］
本発明の実施形態に係る画像形成システム１００は、図１に示すように、画像形成装置１０と、携帯端末２０とを備える。画像形成装置１０及び携帯端末２０は、ＮＦＣ（ＮｅａｒＦｉｅｌｄＣｏｍｍｕｎｉｃａｔｉｏｎ）の無線通信規格に従って相互間で通信可能である。
【００１３】
［画像形成装置１０］
画像形成装置１０は、画像データに基づいて画像を形成するプリント機能と共に、スキャン機能、ファクシミリ機能、及びコピー機能などの複数の機能を有する複合機である。例えば、画像形成装置１０は、コンビニエンスストアなどの店舗内に設置される。具体的に、画像形成装置１０は、図１及び図２に示すように、ＡＤＦ１１、画像読取部１２、画像形成部１３、給紙部１４、制御部１５、操作表示部１６、料金徴収部１７、通信部１８、及び記憶部１９を備える。なお、画像形成装置１０は、プリンター装置、ファクシミリ装置、又はコピー機などであってもよい。
【００１４】
ＡＤＦ１１は、原稿セット部、複数の搬送ローラー、原稿押さえ、及び排紙部を備え、画像読取部１２によって読み取られる原稿を搬送する自動原稿搬送装置である。画像読取部１２は、原稿台、光源、複数のミラー、光学レンズ、及びＣＣＤ（Charge Coupled Device）を備え、原稿から画像データを読み取る。
【００１５】
画像形成部１３は、画像読取部１２で読み取られた画像データ又は外部のパーソナルコンピューター等の情報処理装置から入力された画像データに基づいて、電子写真方式でカラー又はモノクロの画像を形成する画像形成処理（印刷処理）を実行することが可能である。具体的に、画像形成部１３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部１３では、給紙部１４から供給されるシートにカラー又はモノクロの画像が形成されて、画像形成後の前記シートが前記排紙トレイに排出される。
【００１６】
制御部１５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部１５では、前記ＣＰＵにより前記ＲＯＭに予め記憶された各種の制御プログラムが実行される。これにより、画像形成装置１０が制御部１５により統括的に制御される。なお、制御部１５は、集積回路（ＡＳＩＣ）などの電子回路で構成されたものであってもよく、画像形成装置１０を統括的に制御するメイン制御部とは別に設けられた制御部であってもよい。
【００１７】
操作表示部１６は、制御部１５からの制御指示に応じて各種の情報を表示する液晶ディスプレーなどの表示部、及びユーザーの操作に応じて制御部１５に各種の情報を入力するタッチパネルなどの操作部を有する。記憶部１９は、ソリッドステートドライブ（ＳＳＤ）又はハードディスクドライブ（ＨＤＤ）などの記憶部である。
【００１８】
料金徴収部１７は、画像形成装置１０を用いて印刷を行うユーザーから印刷料金を徴収する。例えば、料金徴収部１７は、ユーザーによって投入された金銭から前記印刷料金を徴収するコインベンダーである。なお、料金徴収部１７は、ユーザーから供給されるプリペイドカードなどの金銭情報が記録された磁気カードから前記印刷料金を徴収するものであってもよい。また、画像形成装置１０において料金徴収部１７が設けられていない構成が他の実施形態として考えられる。
【００１９】
通信部１８は、外部の通信機器との間で有線又は無線によるデータ通信を実行可能な通信インターフェイスである。例えば、通信部１８は、携帯端末２０などの外部の通信機器との間で、ＮＦＣで規定された通信プロトコルに従って無線によるデータ通信を実行する。具体的に、通信部１８は、１３．５６ＭＨｚの周波数帯を用いて、画像形成装置１０から約１０ｃｍの通信範囲に存在する外部の通信機器との間でＮＦＣによる無線通信を実行可能である。なお、ＮＦＣ方式のデータ通信手法については従来周知であるため、ここでは説明を省略する。
【００２０】
［携帯端末２０］
携帯端末２０は、画像形成装置１０のユーザーなどによって持ち運ばれるスマートフォンなどの移動通信端末である。具体的に、携帯端末２０は、図１に示すように、制御部２１、操作表示部２２、通信部２３、撮影部２４、及び記憶部２５を備える。なお、携帯端末２０は、携帯電話、タブレット端末、ノートパソコン、又はＰＤＡなどであってもよい。
【００２１】
制御部２１は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部２１では、前記ＣＰＵにより前記ＲＯＭ又は記憶部２５に予め記憶された各種の制御プログラムが実行される。これにより、携帯端末２０が制御部２１により統括的に制御される。なお、制御部２１は、集積回路（ＡＳＩＣ）などの電子回路で構成されたものであってもよく、携帯端末２０を統括的に制御するメイン制御部とは別に設けられた制御部であってもよい。
【００２２】
操作表示部２２は、制御部２１からの制御指示に応じて各種の情報を表示する液晶ディスプレーなどの表示部、及びユーザーの操作に応じて制御部２１に各種の情報を入力するタッチパネルなどの操作部を有する。
【００２３】
通信部２３は、外部の通信機器との間で無線によるデータ通信を実行可能な通信インターフェイスである。例えば、通信部２３は、画像形成装置１０などの外部の通信機器との間で、ＮＦＣで規定された通信プロトコルに従って通信処理を実行する。具体的に、通信部２３は、画像形成装置１０と同様に１３．５６ＭＨｚの周波数帯を用いて、携帯端末２０から約１０ｃｍの通信範囲に存在する外部の通信機器との間でＮＦＣによる無線通信を実行可能である。
【００２４】
撮影部２４は、外部から受光される光に基づいて静止画又は動画を撮影可能なカメラである。記憶部２５は、フラッシュメモリー等の不揮発性の記憶部であり、制御部２１によるデータの読み書きが可能である。
【００２５】
ところで、画像形成装置１０において、印刷枚数に応じて店舗内の商品の代金を割り引くクーポンを発行することが考えられる。ここで、印刷物の余白領域に前記クーポンが印刷される場合には、前記クーポンが別途印刷される場合と比較して、ユーザーにおける前記印刷料金の負担が軽減される。しかしながら、印刷物の余白領域に前記クーポンが印刷される場合には、印刷物の他者への配布に不都合が生じる等、ユーザーによる印刷物の利用態様に制限が生じる。これに対し、本発明の実施形態に係る画像形成システム１００では、以下に説明するように、ユーザーによる印刷物の利用態様を制限することなく前記クーポンを発行することが可能である。
【００２６】
具体的に、画像形成装置１０の前記ＲＯＭには、制御部１５の前記ＣＰＵに後述のクーポン情報出力処理（図３のフローチャート参照）を実行させるためのクーポン情報出力プログラムが予め記憶されている。なお、前記クーポン情報出力プログラムは、ＣＤ、ＤＶＤ、フラッシュメモリーなどのコンピューター読み取り可能な記録媒体に記録されており、前記記録媒体から読み取られて記憶部１９又は前記ＥＥＰＲＯＭ等にインストールされてもよい。
【００２７】
そして、制御部１５は、図１に示すように、設定処理部１５１、開始処理部１５２、特定処理部１５３、課金処理部１５４、及び第１出力処理部１５５を含む。具体的に、制御部１５は、前記ＣＰＵを用いて前記ＲＯＭに記憶されている前記クーポン情報出力プログラムを実行する。これにより、制御部１５は、設定処理部１５１、開始処理部１５２、特定処理部１５３、課金処理部１５４、及び第１出力処理部１５５として機能する。
【００２８】
設定処理部１５１は、画像形成部３により実行される前記印刷処理の内容をユーザー操作に応じて設定する。例えば、設定処理部１５１は、操作表示部１６に対するユーザー操作に応じて、前記印刷処理の内容の設定操作に用いられる設定操作画面を操作表示部１６に表示させる。
【００２９】
例えば、前記設定操作画面では、前記印刷処理の内容として、画像データの取得方法、印刷色、印刷部数、拡大縮小率、集約ページ数、両面印刷の有効無効、印刷濃度、用紙サイズなどを設定することが可能である。また、前記設定操作画面では、前記印刷処理の開始操作を行うことが可能である。なお、前記画像データの取得方法は、画像読取部１２を用いた原稿からの取得及びＵＳＢメモリーなどの外部の記憶装置からの取得を含む。また、印刷色は、カラー及びモノクロを含む。
【００３０】
開始処理部１５２は、設定処理部１５１による前記印刷処理の内容の設定後の前記開始操作に応じて、画像形成部１３による前記印刷処理を開始させる。
【００３１】
例えば、開始処理部１５２は、前記開始操作が行われた場合であって、前記画像データの取得方法が画像読取部１２を用いた原稿からの取得に設定されている場合に、ＡＤＦ１１の前記原稿セット部に載置された原稿又は画像読取部１２の前記原稿台に載置された原稿から画像データを読み取る画像読取処理を実行する。また、開始処理部１５２は、前記開始操作が行われた場合であって、前記画像データの取得方法が前記外部の記憶装置からの取得に設定されている場合に、前記外部の記憶装置から画像データを読み出すデータ読出し処理を実行する。そして、開始処理部１５２は、前記画像読取処理又は前記データ読出し処理の終了後に、画像形成部１３に取得された画像データに基づく前記印刷処理を開始させる。
【００３２】
特定処理部１５３は、設定処理部１５１によって設定された前記印刷処理の内容に応じて前記印刷処理における印刷枚数を特定する。具体的に、特定処理部１５３は、前記画像読取処理又は前記データ読出し処理で取得された画像データに含まれる原稿のページ数、並びに前記設定操作における前記印刷部数、前記集約ページ数、及び前記両面印刷の有効無効の設定に基づいて、前記印刷処理における前記印刷枚数を特定する。
【００３３】
なお、特定処理部１５３は、設定処理部１５１によって設定された前記印刷処理の内容に応じて前記印刷処理における前記印刷料金を特定してもよい。具体的に、特定処理部１５３は、前記印刷処理における前記印刷枚数を特定して、特定された前記印刷枚数、並びに前記設定操作における前記印刷色及び前記用紙サイズの設定に基づいて、前記印刷処理における前記印刷料金を特定してもよい。
【００３４】
課金処理部１５４は、開始処理部１５２によって開始された前記印刷処理が終了する際に、特定処理部１５３によって特定された前記印刷枚数に応じて課金処理を実行する。具体的に、課金処理部１５４は、特定処理部１５３によって特定された前記印刷枚数、並びに前記設定操作における前記印刷色及び前記用紙サイズの設定に基づいて、前記印刷処理における前記印刷料金を特定する。そして、課金処理部１５４は、特定された前記印刷料金の徴収を料金徴収部１７に指示する。料金徴収部１７は、課金処理部１５４からの指示に基づいてユーザーによって投入された金銭から前記印刷料金を徴収し、残金をユーザーに返却する。
【００３５】
なお、課金処理部１５４は、開始処理部１５２によって前記印刷処理が開始される際に、特定処理部１５３によって特定された前記印刷枚数に応じて課金処理を実行してもよい。また、課金処理部１５４は、特定処理部１５３によって前記印刷料金が特定される場合には、特定処理部１５３によって特定された前記印刷料金に応じて前記課金処理を実行してもよい。
【００３６】
第１出力処理部１５５は、特定処理部１５３によって特定された前記印刷枚数又は前記印刷料金に対応する予め設定された前記クーポンの内容の特定に用いられるクーポン情報を出力する。例えば、第１出力処理部１５５は、前記クーポン情報を示すコード画像を操作表示部１６に表示させる。例えば、前記コード画像はＱＲコード（登録商標）などの二次元コードである。ここに、第１出力処理部１５５が、本発明における出力処理部の一例である。
【００３７】
ここで、前記クーポン情報は、特定処理部１５３によって特定された前記印刷枚数又は前記印刷料金を含む。また、前記クーポン情報は、一又は複数の商品又はサービスの種類の特定に用いられる商品情報、及び前記商品又は前記サービスの種類ごとに予め設定された割引上限金額の特定に用いられる上限金額情報を含む。なお、前記割引上限金額は、前記商品情報のうち複数又は全ての前記商品又は前記サービスに共通であってもよい。例えば、前記商品情報は、前記商品又は前記サービスの種類を示す情報である。また、前記上限金額情報は、前記上限金額を示す情報である。画像形成装置１０では、前記商品情報及び前記上限金額情報が、予め記憶部１９に記憶されている。なお、前記商品情報及び前記上限金額情報は、画像形成装置１０の識別情報、又は画像形成装置１０が設置されている店舗名又は店舗の住所などの設置位置情報であってもよい。また、前記クーポン情報は、前記商品情報及び前記上限金額情報のいずれか一方又は両方を含まないものであってもよい。
【００３８】
例えば、第１出力処理部１５５は、課金処理部１５４による前記課金処理の実行後に前記クーポン情報の表示を実行する。
【００３９】
なお、第１出力処理部１５５は、前記クーポン情報を携帯端末２０に送信してもよい。例えば、第１出力処理部１５５は、ＮＦＣの通信範囲において携帯端末２０の存在を検出した場合に、検出された携帯端末２０との間でＮＦＣによる無線通信を実行して前記クーポン情報を送信してもよい。この場合、第１出力処理部１５５は、携帯端末２０を画像形成装置１０の予め設定された位置にかざすよう促すメッセージを操作表示部１６に表示させることが考えられる。
【００４０】
また、第１出力処理部１５５は、開始処理部１５２によって前記印刷処理が開始される際に前記課金処理が実行される場合には、課金処理部１５４による前記課金処理の実行後であって前記印刷処理の終了前に、前記クーポン情報の表示又は送信を実行する。
【００４１】
一方、携帯端末２０の記憶部２５には、制御部２１の前記ＣＰＵに後述のクーポン発行処理（図４のフローチャート参照）を実行させるためのクーポン発行プログラムが予め記憶されている。例えば、前記クーポン発行プログラムは、外部のサーバーから取得されて記憶部２５にインストールされる。
【００４２】
そして、制御部２１は、図１に示すように、取得処理部２１１、記憶処理部２１２、操作受付部２１３、内容特定部２１４、及び第２出力処理部２１５を含む。具体的に、制御部２１は、前記ＣＰＵを用いて記憶部２５に記憶されている前記クーポン発行プログラムを実行する。これにより、制御部２１は、取得処理部２１１、記憶処理部２１２、操作受付部２１３、内容特定部２１４、及び第２出力処理部２１５として機能する。
【００４３】
取得処理部２１１は、画像形成装置１０の第１出力処理部１５５によって画像形成装置１０の操作表示部１６に表示される前記クーポン情報を取得する。具体的に、取得処理部２１１は、撮影部２４によって画像形成装置１０の操作表示部１６に表示された前記コード画像が撮影された場合に、撮影された前記コード画像から前記クーポン情報を抽出して取得する。
【００４４】
また、取得処理部２１１は、画像形成装置１０の第１出力処理部１５５によって前記クーポン情報が送信される場合には、送信された前記クーポン情報を受信して取得する。
【００４５】
記憶処理部２１２は、取得処理部２１１により取得される前記クーポン情報に含まれる前記印刷枚数又は前記印刷料金の累計値を記憶部２５に記憶させる。例えば、記憶処理部２１２は、取得処理部２１１により前記クーポン情報が取得されるごとに、前記クーポン情報に含まれる前記印刷枚数又は前記印刷料金を記憶部２５に記憶された前記印刷枚数又は前記印刷料金の累計値に加算する。
【００４６】
操作受付部２１３は、前記商品情報により特定される複数の前記商品又は前記サービスの種類のうちいずれか一つ又は複数を選択する選択操作を受け付ける。例えば、操作受付部２１３は、取得処理部２１１によって前記クーポン情報が取得された場合に、前記選択操作に用いられる選択操作画面を操作表示部２２に表示させる。ここで、前記選択操作画面では、前記クーポンの発行を中止する発行中止操作を行うことも可能である。
【００４７】
なお、操作受付部２１３は、前記クーポン情報に前記商品情報が含まれていない場合には、予め定められた複数の前記商品又は前記サービスの種類のうちいずれか一つ又は複数を選択する前記選択操作を受け付けることが考えられる。また、操作受付部２１３は、前記クーポン情報に含まれる前記商品情報により特定される前記商品又は前記サービスの種類が一つである場合には、前記選択操作画面を表示しないことが考えられる。
【００４８】
また、前記商品情報及び前記上限金額情報が画像形成装置１０の前記識別情報又は前記設置位置情報である場合、操作受付部２１３は、前記識別情報又は前記設置位置情報に基づいて複数の前記商品又は前記サービスの種類及び前記割引上限金額を特定する。例えば、外部のサーバーの備える記憶部において、予め前記識別情報又は前記設置位置情報に対応する複数の前記商品又は前記サービスの種類及び前記割引上限金額が記憶されていることが考えられる。この場合、操作受付部２１３は、前記識別情報又は前記設置位置情報に基づいて、前記サーバーから前記識別情報又は前記設置位置情報に対応する複数の前記商品又は前記サービスの種類及び前記割引上限金額を取得する。
【００４９】
内容特定部２１４は、取得処理部２１１によって取得された前記クーポン情報に基づいて前記クーポンの内容を特定する。
【００５０】
例えば、内容特定部２１４は、前記選択操作に応じて前記クーポンが適用される前記商品又は前記サービスの種類を特定する。
【００５１】
また、内容特定部２１４は、前記クーポン情報に含まれる前記印刷枚数及び記憶部２５に記憶された前記印刷枚数の累計値に基づいて、前記クーポンの割引可能金額を取得する。具体的に、携帯端末２０では、前記印刷枚数の累計値ごとに印刷枚数１枚当たりの前記割引可能金額を定めたテーブルデータが予め記憶部２５に記憶されている。内容特定部２１４は、前記テーブルデータを参照して、前記印刷枚数の累計値から前記印刷枚数１枚当たりの前記割引可能金額を取得する。そして、内容特定部２１４は、取得された前記印刷枚数１枚当たりの前記割引可能金額及び前記クーポン情報に含まれる前記印刷枚数に基づいて、前記クーポンの前記割引可能金額を特定する。
【００５２】
ここで、内容特定部２１４は、前記クーポン情報に含まれる前記印刷枚数に基づいて取得される前記クーポンの前記割引可能金額が前記選択操作で選択された前記商品又は前記サービスの種類の前記割引上限金額を超える場合に、前記クーポンの前記割引金額を前記割引上限金額に特定すると共に前記割引可能金額と前記割引上限金額との差額を記憶部２５に記憶させる。そして、内容特定部２１４は、記憶部２５に前記差額が記憶されている場合には、前記クーポン情報及び前記差額に基づいて前記割引金額を特定する。具体的に、内容特定部２１４は、前記クーポン情報に含まれる前記印刷枚数及び記憶部２５に記憶された前記印刷枚数の累計値に基づいて取得される前記割引可能金額に前記差額を加算した額と前記割引上限金額との比較結果に基づいて前記割引金額を特定する。
【００５３】
また、内容特定部２１４は、前記選択操作画面において前記発行中止操作が行われた場合に、前記クーポン情報に含まれる前記印刷枚数に基づいて取得される前記割引可能金額を繰越額として記憶部２５に記憶させる。そして、内容特定部２１４は、記憶部２５に前記繰越額が記憶されている場合には、前記クーポン情報及び前記繰越額に基づいて前記割引金額を特定する。具体的に、内容特定部２１４は、前記クーポン情報に含まれる前記印刷枚数及び記憶部２５に記憶された前記印刷枚数の累計値に基づいて取得される前記割引可能金額に前記繰越額を加算した額と前記割引上限金額との比較結果に基づいて前記割引金額を特定する。
【００５４】
なお、内容特定部２１４は、前記クーポン情報に前記印刷料金が含まれる場合には、前記印刷料金及び記憶部２５に記憶された前記印刷料金の累計値に基づいて、前記クーポンの前記割引可能金額を取得する。例えば、携帯端末２０の記憶部２５に、前記印刷料金の累計値ごとに予め定められた単位料金当たりの前記割引可能金額を定めたテーブルデータを記憶させることが考えられる。また、内容特定部２１４は、前記クーポン情報に含まれる前記印刷枚数又は前記印刷料金のみに基づいて、前記クーポンの前記割引可能金額を取得してもよい。
【００５５】
第２出力処理部２１５は、内容特定部２１４によって特定された前記クーポンの内容を出力する。例えば、第２出力処理部２１５は、内容特定部２１４によって特定された前記クーポンの内容を示すクーポン画像を操作表示部２２に表示させる。例えば、前記クーポン画像には、前記クーポンが適用される前記商品又は前記サービスの種類、前記割引金額、前記クーポンの識別情報、及び前記クーポンの有効期限などが表示される。例えば、第２出力処理部２１５は、操作表示部２２に対するタッチ操作が行われた場合に、操作表示部２２における前記クーポン画像の表示を終了して、前記クーポン情報を削除する。
【００５６】
なお、第２出力処理部２１５は、内容特定部２１４によって特定された前記クーポンの内容を示す情報を店舗内に設けられたレジスター装置などの外部の通信装置に送信してもよい。例えば、第２出力処理部２１５は、ＮＦＣの通信範囲において前記外部の通信装置の存在を検出した場合に、検出された前記外部の通信装置との間でＮＦＣによる無線通信を実行して前記クーポンの内容を示す情報を送信してもよい。
【００５７】
［クーポン情報出力処理］
以下、図３を参照しつつ、画像形成装置１０において制御部１５により実行されるクーポン情報出力処理の手順の一例について説明する。ここで、ステップＳ１１、Ｓ１２・・・は、制御部１５により実行される処理手順（ステップ）の番号を表している。なお、前記クーポン情報出力処理は、操作表示部１６において前記設定操作画面の表示を指示するユーザー操作が行われた場合に実行される。
【００５８】
＜ステップＳ１１＞
まず、ステップＳ１１において、制御部１５は、前記設定操作画面を操作表示部１６に表示させる。
【００５９】
＜ステップＳ１２＞
ステップＳ１２において、制御部１５は、ステップＳ１１で表示された前記設定操作画面において前記印刷処理の内容を設定する前記設定操作が行われたか否かを判断する。
【００６０】
ここで、制御部１５は、前記設定操作が行われたと判断すると（Ｓ１２のＹｅｓ側）、処理をステップＳ１３に移行させる。また、前記設定操作が行われていなければ（Ｓ１２のＮｏ側）、制御部１５は、処理をステップＳ１４に移行させる。
【００６１】
＜ステップＳ１３＞
ステップＳ１３において、制御部１５は、前記設定操作に応じて前記印刷処理の内容を設定する。ここに、ステップＳ１３の処理が、本発明における第１ステップの一例であって、制御部１５の設定処理部１５１により実行される。
【００６２】
＜ステップＳ１４＞
ステップＳ１４において、制御部１５は、ステップＳ１１で表示された前記設定操作画面において前記印刷処理の開始を指示する前記開始操作が行われたか否かを判断する。
【００６３】
ここで、制御部１５は、前記開始操作が行われたと判断すると（Ｓ１４のＹｅｓ側）、処理をステップＳ１５に移行させる。また、前記開始操作が行われていなければ（Ｓ１４のＮｏ側）、制御部１５は、処理をステップＳ１２に移行させて、前記設定操作又は前記開始操作が行われるのを待ち受ける。
【００６４】
＜ステップＳ１５＞
ステップＳ１５において、制御部１５は、画像形成部１３による前記印刷処理を開始させる。ここで、ステップＳ１５の処理は、制御部１５の開始処理部１５２により実行される。
【００６５】
例えば、制御部１５は、ステップＳ１３により前記画像データの取得方法が画像読取部１２を用いた原稿からの取得に設定された場合に、前記画像読取処理を実行する。また、制御部１５は、ステップＳ１３により前記画像データの取得方法が前記外部の記憶装置からの取得に設定された場合に、前記データ読出し処理を実行する。そして、制御部１５は、前記画像読取処理又は前記データ読出し処理の終了後に、画像形成部１３に取得された画像データに基づく前記印刷処理を開始させる。
【００６６】
＜ステップＳ１６＞
ステップＳ１６において、制御部１５は、ステップＳ１３によって設定された前記印刷処理の内容に応じて前記印刷処理における前記印刷枚数を特定する。ここに、ステップＳ１６の処理が、本発明における第２ステップの一例であって、制御部１５の特定処理部１５３により実行される。
【００６７】
具体的に、制御部１５は、ステップＳ１５で実行された前記画像読取処理又は前記データ読出し処理により取得された画像データに含まれる原稿のページ数、並びにステップＳ１３による前記印刷部数、前記集約ページ数、及び前記両面印刷の有効無効の設定に基づいて、前記印刷処理における前記印刷枚数を特定する。
【００６８】
なお、制御部１５は、ステップＳ１３によって設定された前記印刷処理の内容に応じて前記印刷処理における前記印刷料金を特定してもよい。
【００６９】
＜ステップＳ１７＞
ステップＳ１７において、制御部１５は、ステップＳ１５によって開始された前記印刷処理が終了する際に、ステップＳ１６によって特定された前記印刷枚数に応じて前記課金処理を実行する。ここで、ステップＳ１７の処理は、制御部１５の課金処理部１５４により実行される。
【００７０】
具体的に、制御部１５は、ステップＳ１６によって特定された前記印刷枚数、並びにステップＳ１３によって設定された前記印刷色及び前記用紙サイズに基づいて、前記印刷処理における前記印刷料金を特定する。そして、制御部１５は、特定された前記印刷料金の徴収を料金徴収部１７に指示する。料金徴収部１７は、制御部１５からの指示に基づいてユーザーによって投入された金銭から前記印刷料金を徴収し、残金をユーザーに返却する。
【００７１】
なお、制御部１５は、ステップＳ１５によって前記印刷処理が開始される際に、ステップＳ１６によって特定された前記印刷枚数に応じて前記課金処理を実行してもよい。
【００７２】
また、画像形成装置１０において料金徴収部１７が設けられていない場合には、ステップＳ１７の処理は省略される。
【００７３】
＜ステップＳ１８＞
ステップＳ１８において、制御部１５は、ステップＳ１６によって特定された前記印刷枚数、並びに記憶部１９に記憶されている前記商品情報及び前記上限金額情報を含む前記クーポン情報を示す前記コード画像を操作表示部１６に表示させて出力する。ここに、ステップＳ１８の処理が、本発明における第３ステップの一例であって、制御部１５の第１出力処理部１５５により実行される。
【００７４】
ここで、ステップＳ１８において、制御部１５により操作表示部１６に表示される表示画面の一例を図５に示す。図５に示す表示画面Ａ１０は、メッセージ表示欄Ａ１１、及び画像表示欄Ａ１２を有する。メッセージ表示欄Ａ１１には、ユーザーへのメッセージが表示される。画像表示欄Ａ１２には、前記クーポン情報を示すコード画像Ａ１２１が表示される。ユーザーが、携帯端末２０を用いてコード画像Ａ１２１を撮影すると、携帯端末２０において後述するクーポン発行処理が実行される。
【００７５】
なお、制御部１５は、ステップＳ１５によって前記印刷処理が開始される際にステップＳ１７による前記課金処理が実行される場合には、前記課金処理の実行後であって前記印刷処理の終了前に、前記クーポン情報の表示又は送信を実行する。これにより、画像形成装置１０のユーザーは、前記印刷処理が終了するまでの間の待ち時間に前記クーポンを取得することが可能である。
【００７６】
また、制御部１５は、前記クーポン情報を携帯端末２０に送信してもよい。例えば、制御部１５は、ＮＦＣの通信範囲において携帯端末２０の存在を検出した場合に、検出された携帯端末２０との間でＮＦＣによる無線通信を実行して前記クーポン情報を送信する。
【００７７】
［クーポン発行処理］
次に、図４を参照しつつ、携帯端末２０において制御部２１により実行されるクーポン発行処理の手順の一例について説明する。なお、前記クーポン発行処理は、撮影部２４によって画像形成装置１０の操作表示部１６に表示されたコード画像Ａ１２１が撮影された場合、又は画像形成装置１０から前記クーポン情報が送信された場合に実行される。
【００７８】
＜ステップＳ２１＞
まず、ステップＳ２１において、制御部２１は、前記クーポン情報を取得する。ここで、ステップＳ２１の処理は、制御部２１の取得処理部２１１により実行される。
【００７９】
例えば、制御部２１は、撮影部２４によって画像形成装置１０の操作表示部１６に表示された前記コード画像が撮影された場合に、撮影された前記コード画像から前記クーポン情報を抽出して取得する。また、制御部２１は、画像形成装置１０から前記クーポン情報が送信される場合には、送信された前記クーポン情報を受信して取得する。
【００８０】
＜ステップＳ２２＞
ステップＳ２２において、制御部２１は、ステップＳ２１により取得された前記クーポン情報に含まれる前記印刷枚数の累計値を記憶部２５に記憶させる。ここで、ステップＳ２２の処理は、制御部２１の記憶処理部２１２により実行される。
【００８１】
例えば、制御部２１は、ステップＳ２１で取得された前記クーポン情報に含まれる前記印刷枚数を記憶部２５に記憶された前記印刷枚数の累計値に加算する。なお、ステップＳ２２の処理は省略されるものであってもよい。
【００８２】
＜ステップＳ２３＞
ステップＳ２３において、制御部２１は、前記選択操作画面を操作表示部２２に表示させる。ここで、ステップＳ２３の処理は、操作受付部２１３により実行される。
【００８３】
なお、制御部２１は、前記クーポン情報に含まれる前記商品情報により特定される前記商品又は前記サービスの種類が一つである場合には、ステップＳ２３、ステップＳ２４、及びステップＳ２５の処理を省略してもよい。
【００８４】
＜ステップＳ２４＞
ステップＳ２４において、制御部２１は、ステップＳ２３で表示された前記選択操作画面において前記クーポンの発行を中止する前記発行中止操作が行われたか否かを判断する。
【００８５】
ここで、制御部２１は、前記発行中止操作が行われたと判断すると（Ｓ２４のＹｅｓ側）、前記クーポン情報に含まれる前記印刷枚数に基づいて取得される前記割引可能金額を前記繰越額として記憶部２５に記憶させて、前記クーポン発行処理を終了する。また、前記発行中止操作が行われていなければ（Ｓ２４のＮｏ側）、制御部２１は、処理をステップＳ２５に移行させる。
【００８６】
＜ステップＳ２５＞
ステップＳ２５において、制御部２１は、ステップＳ２３で表示された前記選択操作画面においてステップＳ２１により取得された前記クーポン情報に含まれる前記商品情報により特定される複数の前記商品又は前記サービスの種類のうちいずれか一つ又は複数を選択する前記選択操作が行われたか否かを判断する。
【００８７】
ここで、制御部２１は、前記選択操作が行われたと判断すると（Ｓ２５のＹｅｓ側）、処理をステップＳ２６に移行させる。また、前記選択操作が行われていなければ（Ｓ２５のＮｏ側）、制御部２１は、処理をステップＳ２４に移行させて、前記発行中止操作又は前記選択操作が行われるのを待ち受ける。
【００８８】
＜ステップＳ２６＞
ステップＳ２６において、制御部２１は、前記選択操作に応じて前記クーポンが適用される前記商品又は前記サービスの種類を特定する。
【００８９】
＜ステップＳ２７＞
ステップＳ２７において、制御部２１は、ステップＳ２１で取得された前記クーポン情報に基づいて前記クーポンの前記割引金額を特定する。ここで、ステップＳ２６及びステップＳ２７の処理は、制御部２１の内容特定部２１４により実行される。
【００９０】
例えば、制御部２１は、ステップＳ２１で取得された前記クーポン情報に含まれる前記印刷枚数、及びステップＳ２２で記憶部２５に記憶された前記印刷枚数の累計値に基づいて、前記クーポンの前記割引可能金額を取得する。具体的に、制御部２１は、記憶部２５に記憶されている前記テーブルデータを参照して、前記印刷枚数の累計値から前記印刷枚数１枚当たりの前記割引可能金額を取得する。そして、制御部２１は、取得された前記印刷枚数１枚当たりの前記割引可能金額及び前記クーポン情報に含まれる前記印刷枚数に基づいて、前記クーポンの前記割引可能金額を取得する。これにより、前記印刷枚数の累計値に応じて前記クーポンの前記割引可能金額を取得することが可能である。
【００９１】
ここで、制御部２１は、前記クーポン情報に含まれる前記印刷枚数に基づいて取得される前記クーポンの前記割引可能金額がステップＳ２６で選択された前記商品又は前記サービスの種類の前記割引上限金額を超える場合に、前記クーポンの前記割引金額を前記割引上限金額に特定すると共に前記割引可能金額と前記割引上限金額との前記差額を記憶部２５に記憶させる。また、制御部２１は、記憶部２５に前記差額が記憶されている場合には、前記クーポン情報及び前記差額に基づいて前記割引金額を特定する。具体的に、制御部２１は、前記クーポン情報に含まれる前記印刷枚数及び記憶部２５に記憶された前記印刷枚数の累計値に基づいて取得される前記割引可能金額に前記差額を加算した額と前記割引上限金額との比較結果に基づいて前記割引金額を特定する。これにより、前記差額を次に発行される前記クーポンに繰り越すことが可能である。
【００９２】
また、制御部２１は、記憶部２５に前記繰越額が記憶されている場合には、前記クーポン情報及び前記繰越額に基づいて前記割引金額を特定する。具体的に、制御部２１は、前記クーポン情報に含まれる前記印刷枚数及び記憶部２５に記憶された前記印刷枚数の累計値に基づいて取得される前記割引可能金額に前記繰越額を加算した額と前記割引上限金額との比較結果に基づいて前記割引金額を特定する。これにより、前記繰越額を次に発行される前記クーポンに繰り越すことが可能である。
【００９３】
なお、制御部２１は、前記クーポン情報に前記印刷料金が含まれる場合には、前記印刷料金及び記憶部２５に記憶された前記印刷料金の累計値に基づいて、前記クーポンの前記割引可能金額を取得する。また、制御部２１は、ステップＳ２２の処理が省略される場合には、前記クーポン情報に含まれる前記印刷枚数又は前記印刷料金のみに基づいて、前記クーポンの前記割引可能金額を取得する。
【００９４】
＜ステップＳ２８＞
ステップＳ２８において、制御部２１は、ステップＳ２６及びステップＳ２７によって特定された前記クーポンの内容を出力する。ここで、ステップＳ２８の処理は、制御部２１の第２出力処理部２１５により実行される。
【００９５】
例えば、制御部２１は、ステップＳ２６及びステップＳ２７によって特定された前記クーポンの内容を示す前記クーポン画像を操作表示部２２に表示させる。また、制御部２１は、操作表示部２２に対するタッチ操作が行われた場合に、操作表示部２２における前記クーポン画像の表示を終了して、前記クーポン情報を削除する。これにより、前記クーポンが複数回使用されることが回避される。なお、前記クーポン画像に含まれる前記クーポンの有効期限を短期間に設定することで、前記クーポンが複数回使用されることを回避することも可能である。
【００９６】
ここで、ステップＳ２８において、制御部２１により操作表示部２２に表示される表示画面の一例を図６に示す。図６に示す表示画面Ａ２０は、メッセージ表示欄Ａ２１、及び画像表示欄Ａ２２を有する。メッセージ表示欄Ａ２１には、メッセージ表示欄Ａ１１と同様にユーザーへのメッセージが表示される。画像表示欄Ａ２２には、前記クーポンの内容を示すクーポン画像Ａ２２１が表示される。図６に示すクーポン画像Ａ２２１には、前記クーポンが適用される前記商品又は前記サービスの種類、前記割引金額、前記クーポンの識別情報、及び前記クーポンの有効期限が表示されている。ユーザーは、携帯端末２０の操作表示部２２に表示されたクーポン画像Ａ２２１を店舗の店員に提示することで、前記クーポンを使用することが可能である。例えば、クーポン画像Ａ２２１を提示された店員は、クーポン画像Ａ２２１に対してタッチ操作を行うことで、携帯端末２０によるクーポン画像Ａ２２１の表示を終了させる。また、クーポン画像Ａ２２１を提示された店員は、クーポン画像Ａ２２１に表示された前記クーポン識別情報を店舗内に設けられた前記レジスター装置に入力して、会計処理を行ってもよい。
【００９７】
なお、制御部２１は、ステップＳ２６及びステップＳ２７によって特定された前記クーポンの内容を示す情報を前記レジスター装置などの前記外部の通信装置に送信してもよい。例えば、制御部２１は、ＮＦＣの通信範囲において前記外部の通信装置の存在を検出した場合に、検出された前記外部の通信装置との間でＮＦＣによる無線通信を実行して前記クーポンの内容を示す情報を送信してもよい。これにより、前記クーポンの内容を確認して会計処理を行う店舗の従業員の手間が軽減される。
【００９８】
なお、ステップＳ２６において複数の前記商品又は前記サービスの種類が特定された場合、制御部２１は、特定された前記商品又は前記サービスの種類ごとに、ステップＳ２７及びステップＳ２８の処理を実行する。
【００９９】
このように、画像形成システム１００では、画像形成装置１０で前記印刷処理が実行される場合に、前記クーポン情報を示す前記コード画像が操作表示部１６に表示される。これにより、携帯端末２０に前記クーポン情報を取得させて、携帯端末２０において前記クーポンを発行することが可能となる。従って、ユーザーによる印刷物の利用態様を制限することなく前記クーポンを発行することが可能である。
【符号の説明】
【０１００】
１０    画像形成装置
１１    ＡＤＦ
１２    画像読取部
１３    画像形成部
１４    給紙部
１５    制御部
１５１  設定処理部
１５２  開始処理部
１５３  特定処理部
１５４  課金処理部
１５５  第１出力処理部
１６    操作表示部
１７    料金徴収部
１８    通信部
１９    記憶部
２０    携帯端末
２１    制御部
２１１  取得処理部
２１２  記憶処理部
２１３  操作受付部
２１４  内容特定部
２１５  第２出力処理部
２２    操作表示部
２３    通信部
２４    撮影部
２５    記憶部
１００  画像形成システム
【図１】
2017074734.tif 000003
【図２】
2017074734.tif 000004
【図３】
2017074734.tif 000005
【図４】
2017074734.tif 000006
【図５】
2017074734.tif 000007
【図６】
2017074734.tif 000008